(57)【要約】  本発明に係る乗客コンベアは、操作信号を出力する端末装置と、操作信号に基づいて、乗客コンベアの運転を統括制御するコントローラーとを備え、操作信号が有効であるか無効であるかをコントローラーが判定するための判定用信号を出力するインターロック処理回路をさらに備え、コントローラーは、インターロック処理回路から出力された判定用信号と端末装置から出力された操作信号とに基づいて、操作信号が有効であるか無効であるかを判定し、有効であると判定した操作信号に基づいて乗客コンベアの運転を統括制御する。
2018008107.tif 000002
【特許請求の範囲】
【請求項１】
乗客コンベアの運転／停止を含む操作信号を出力する端末装置と、
前記端末装置から出力された前記操作信号に基づいて、前記乗客コンベアの運転を統括制御するコントローラーと
を備えた乗客コンベアであって、
前記操作信号が有効であるか無効であるかを前記コントローラーが判定するための判定用信号を出力するインターロック処理回路をさらに備え、
前記コントローラーは、前記インターロック処理回路から出力された前記判定用信号と前記端末装置から出力された前記操作信号とに基づいて、前記操作信号が有効であるか無効であるかを判定し、有効であると判定した前記操作信号に基づいて前記乗客コンベアの運転を統括制御する
乗客コンベア。
【請求項２】
前記コントローラーは、前記判定用信号を考慮することなしに単独操作が可能な１以上の操作信号を第１信号群としてあらかじめ規定しておき、受信した操作信号のうち、前記第１信号群に属する操作信号に関しては、前記インターロック処理回路から前記判定用信号が出力されたか否かにかかわらず前記乗客コンベアの運転を統括制御するための信号として採用する
請求項１に記載の乗客コンベア。
【請求項３】
前記インターロック処理回路は、乗客コンベア本体に設けられた操作釦で構成され、前記操作釦が押下されることで、前記コントローラーに対して前記判定用信号を出力し、
前記コントローラーは、前記判定用信号を受信した場合には、あらかじめ決められた期間内に前記端末装置から受信する前記操作信号を有効であると判定し、有効であると判断した前記操作信号に基づいて前記乗客コンベアの運転を統括制御する
請求項１または２に記載の乗客コンベア。
【請求項４】
前記インターロック処理回路は、乗客コンベア本体に設けられ、前記端末装置から出力される前記操作信号を赤外線信号として受信し、あらかじめ設定された信号強度以上の信号として前記赤外線信号を受信することで前記操作信号が有効であることを示す判定用信号を生成し、前記コントローラーに対して前記赤外線信号に対応する操作信号を前記判定用信号とともに出力する受信部で構成され、
前記コントローラーは、前記受信部を介して前記判定用信号および前記操作信号を受信した場合には、前記操作信号が有効であると判定し、有効であると判断した前記操作信号に基づいて前記乗客コンベアの運転を統括制御する
請求項１または２に記載の乗客コンベア。
【請求項５】
前記インターロック処理回路は、乗客コンベアの踏段全体が見渡せる位置に設置され、前記端末装置に対して前記踏段全体の撮像画像信号を第１の判定用信号として出力するカメラで構成され、
前記端末装置は、表示器を有するスマートフォンとして構成され、前記インターロック処理回路から前記第１の判定用信号として受信した前記撮像画像信号を前記表示器に画像表示し、画像表示内容を確認した操作者の操作入力に基づいて前記操作信号を生成するとともに、前記操作信号が有効であることを示す第２の判定用信号を生成し、生成した前記操作信号を前記第２の判定用信号とともに前記コントローラーに対して出力し、
前記コントローラーは、前記端末装置を介して前記第２の判定用信号および前記操作信号を受信した場合には、前記操作信号が有効であると判定し、有効であると判断した前記操作信号に基づいて前記乗客コンベアの運転を統括制御する
請求項１または２に記載の乗客コンベア。
【発明の詳細な説明】
【技術分野】
【０００１】
本発明は、運行管理時、保守点検作業時における操作性を改善する乗客コンベアに関する。
【背景技術】
【０００２】
乗客コンベアの運行管理時あるいは保守点検作業時に、管理者あるいは保守員に相当する操作者による操作入力に基づいて、運転／停止や速度の切替え、あるいは照明の点灯／消灯等を行う従来の乗客コンベアの操作装置がある。このような従来装置では、乗降口に設けたキースイッチにより、専用のキーを保有した操作者のみの操作を可能としている。このような専用キーを用いた運用を採用することで、専用キーを所有する者以外による操作を防止している。【０００３】
また、保守点検時に、持ち運び自在の操作盤を接続することで、踏段の移動速度等を遠隔制御可能とするマンコンベアに係る従来技術もある（例えば、特許文献１参照）。このような操作盤を利用することで、点検者は、自身の意思どおりに踏段を移動させながら、所望の点検作業を実施できる。この結果、点検作業の省力化を実現している。
【先行技術文献】
【特許文献】
【０００４】
【特許文献１】特開平３−２５９８９３号公報
【発明の概要】
【発明が解決しようとする課題】
【０００５】
しかしながら、従来技術には、以下のような課題がある。
前者のような、専用キーを用いた従来装置は、キースイッチの設置スペース、キースイッチの仕様から、キースイッチの取付個数や操作方法が、限定されたものとなっていた。従って、運行管理時、保守点検作業時の操作性に問題があった。【０００６】
また、後者のような、持ち運び自在の操作盤を接続する従来のマンコンベアも、キースイッチの取付個数や操作方法が、限定されたものとなっていた。さらに、この従来のマンコンベアは、操作盤のキーが押されることで、コンベアを容易に遠隔操作できる半面、キーが押されると、そのキーに対応した動作が必ず実行されてしまう。従って、インターロック機能が十分であるとはいえなかった。【０００７】
本発明は、前記のような課題を解決するためになされたものであり、運行管理時、保守点検作業時の操作性の改善およびインターロック機能の強化を兼ね備えた乗客コンベアを得ることを目的とする。
【課題を解決するための手段】
【０００８】
本発明に係る乗客コンベアは、乗客コンベアの運転／停止を含む操作信号を出力する端末装置と、端末装置から出力された操作信号に基づいて、乗客コンベアの運転を統括制御するコントローラーとを備えた乗客コンベアであって、操作信号が有効であるか無効であるかをコントローラーが判定するための判定用信号を出力するインターロック処理回路をさらに備え、コントローラーは、インターロック処理回路から出力された判定用信号と端末装置から出力された操作信号とに基づいて、操作信号が有効であるか無効であるかを判定し、操作信号が有効であると判定した場合には、操作信号に基づいて乗客コンベアの運転を統括制御するものである。
【発明の効果】
【０００９】
本発明によれば、乗客コンベアの操作信号を生成してコントローラーに送信する端末装置と、操作信号が有効であるか無効であるかをコントローラーが判定するための判定用信号を出力するインターロック処理回路とを含む構成を備えている。この結果、運行管理時、保守点検作業時の操作性の改善およびインターロック機能の強化を兼ね備えた乗客コンベアを得ることができる。
【図面の簡単な説明】
【００１０】
【図１】本発明の実施の形態１に係る乗客コンベアで用いられる操作装置の設置場所を示す説明図である。
【図２】本発明の実施の形態１に係る乗客コンベアで用いられる操作装置に含まれる端末装置の構成例を示す図である。
【図３】本発明の実施の形態１における操作釦の設置場所を示した説明図である。
【図４】本発明の実施の形態１に係る乗客コンベアで用いられる操作装置に含まれるスマートフォンの画面構成例を示す図である。
【図５】本発明の実施の形態１に係る乗客コンベアにおいて、操作装置に関連する構成を示した図である。
【図６】本発明の実施の形態２におけるインターロック機能の強化方法を説明するための図である。
【図７】本発明の実施の形態２に係る乗客コンベアにおいて、操作装置に関連する構成を示した図である。
【図８】本発明の実施の形態３に係る乗客コンベアで用いられる操作装置の設置場所を示す説明図である。
【図９】本発明の実施の形態３に係る乗客コンベアで用いられる操作装置に含まれるスマートフォンの画面構成例を示す図である。
【図１０】本発明の実施の形態３に係る乗客コンベアにおいて、操作装置に関連する構成を示した図である。
【図１１】従来の乗客コンベアにおける操作装置の設置場所を示す説明図である。
【図１２】従来の乗客コンベアにおいて、コンベア上部に設けられた操作装置の構成例を示す図である。
【図１３】従来の乗客コンベアにおいて、コンベア下部に設けられた操作装置の構成例を示す図である。
【図１４】図１２または図１３で使用されるキースイッチの説明図である。
【発明を実施するための形態】
【００１１】
以下、本発明に係る乗客コンベアの好適な実施の形態につき、図面を用いて説明する。なお、以下の説明では、専用キーを用いた従来の乗客コンベアとの比較により、操作性の改善およびインターロック機能の強化について説明する。ただし、持ち運び自在の操作盤を接続する従来のマンコンベアに対しても、同様の構成により、操作性の改善およびインターロック機能の強化を実現できることは明らかである。
【００１２】
なお、以下では、まず始めに、従来技術の具体的な構成を、図１１〜図１４を用いて説明するとともに、本願の目的を説明し、その後、本願の具体的な構成を各実施の形態１〜３で詳述する。
【００１３】
図１１は、従来の乗客コンベアにおける操作装置の設置場所を示す説明図である。図１１において、乗客コンベアの長手方向に沿って配置されたトラス（主枠）１には、無端状に連結された複数の踏段２が支持されている。各踏段２は、トラス１内に設置された駆動機（図示せず）の駆動力によって循環移動される。
【００１４】
トラス１上には、トラス１の幅方向について対向する一対の欄干装置３が設けられている。各欄干装置３には、各踏段２と同期して移動される移動手摺４がそれぞれ支持されている。移動手摺４は、欄干装置３の外周部に沿って移動される。そして、乗客コンベアの運行管理時、保守点検作業時に使用する操作装置として、上部には操作装置１００（１）が設けられ、下部には操作装置１００（２）が設けられている。
【００１５】
図１２は、従来の乗客コンベアにおいて、コンベア上部に設けられた操作装置１００（１）の構成例を示す図である。また、図１３は、従来の乗客コンベアにおいて、コンベア下部に設けられた操作装置１００（２）の構成例を示す図である。さらに、図１４は、図１２または図１３で使用されるキースイッチの説明図である。
【００１６】
図１２、図１３に例示したように、操作装置１００（１）、操作装置１００（２）は、スペース上の制約から、設置可能なキースイッチの個数が、最大でも３〜４個に制限される。ここで、キースイッチの具体的な構成としては、図１４に示すように、二点二抜、三点中抜のものが挙げられる。
【００１７】
二点二抜のキースイッチでは、例えば、ＯＮ／ＯＦＦの２つの操作を行う場合には、ＯＮ／ＯＦＦのいずれかの位置にキー操作し、ＯＮ／ＯＦＦの位置でキーを抜く操作が行われる。同様に、図示はしていないが、三点三抜のキースイッチでは、例えば、低速／中速／高速の３段階の操作を行う場合には、低速／中速／高速のいずれかの位置にキー操作し、低速／中速／高速の位置でキーを抜く操作が行われる。
【００１８】
一方、三点中抜のキースイッチでは、例えば、ＯＮ／ＯＦＦの２つの操作を行う場合には、ＯＮ／ＯＦＦの位置に操作した後、真中の何もない位置でキーを抜く操作が行われる。
【００１９】
従って、同じキースイッチを上下部の操作装置１００（１）、１００（２）の両方に設置する場合には、二点二抜、あるいは三点三抜では、異なる設定状態が発生してしまうため、使用できず、三点中抜のような何の設定もない位置でキーを抜く構成のみが使用可能である。
【００２０】
また、例えば、速度設定を行う場合を考えると、三点三抜のキースイッチを採用したとしても、最大で３段階の設定となり、キースイッチでは、３段階よりも細かい設定はできなかった。
【００２１】
図１２、図１３では、運転方向をＤＯＷＮ／ＵＰのいずれかに設定するためのキースイッチ１０１、および照明をＯＮ／ＯＦＦのいずれかに設定するためのキースイッチ１０２が、三点中抜の構造として設けられている。また、速度をＬ／Ｈのいずれかに設定するためのキースイッチ１０３は、二点二抜の構造として、上部の操作装置１００（１）のみに設けられている。
【００２２】
乗客コンベアの運転には、専用キーを所持する操作者による操作が必要である。このため、安全装置の動作などで一旦停止した乗客コンベアを再度運転する必要が生じた場合には、操作者は、キーを取りに行ってから乗客コンベアまで戻る必要がある。この結果、復旧に時間がかかり、利便性が悪かった。
【００２３】
ここで、乗客コンベアにキースイッチを設けている理由としては、点検・復旧操作を行う前に、以下のような確認作業を行う安全上からの理由もある。
・乗客コンベアの踏段上に、利用者がいないことを確認し、起動や停止に伴う踏段速度の変化による転倒の事前防止を図る。
・安全装置が動作した状態で、機器に挟まれたままの利用者あるいは物がないことを確認した後に復旧操作を可能とすることで、二次災害の防止を図る。
【００２４】
そこで、本発明では、安全性の確認を確実に行った上で、利便性、操作性を向上させることのできる乗客コンベアを得ることを目的としている。そして、本発明は、この目的を達成するために、以下のような構成１、２を採用している。
【００２５】
＜構成１＞利便性、操作性を改善する構成について
本発明では、操作スイッチを乗客コンベア本体には設けずに、本体とは別の端末装置に設ける構成を採用する。この結果、配置スペースに起因する操作スイッチの個数や操作性の制約を取り除く。なお、操作スイッチとしては、従来のキースイッチには限定されず、操作性に優れた種々のスイッチを採用することが可能である。
【００２６】
また、本発明で採用する端末装置は、従来からの操作性を維持するために、図１１〜図１３で説明した従来のキースイッチと同様のインターフェースを用いることができる。また、スマートフォンを端末装置として利用し、スマートフォンの画面操作により、キースイッチと同様の操作を実現することで、操作性をさらに改善することも可能である。
【００２７】
＜構成２＞確認作業を考慮した構成について
本発明では、オペレータが安全上の確認作業を行わない限り、上述した構成１により乗客コンベアを操作できないようにするインターロック機能を採用している。
【００２８】
そこで、端末装置が有するインターロック機能の具体的な構成について、実施の形態１〜３に分けて、以下に説明する。
【００２９】
実施の形態１．
図１は、本発明の実施の形態１に係る乗客コンベアで用いられる操作装置の設置場所を示す説明図である。図１において、トラス（主枠）１、踏段２、欄干装置３、移動手摺４は、先の図１１における説明と同一である。本実施の形態１に係る乗客コンベアで用いられる操作装置は、上部および下部に設けられた操作釦１１（１）、１１（２）、および乗客コンベア本体とは別構成の端末装置２０を備えて構成されている。
【００３０】
図２は、本発明の実施の形態１に係る乗客コンベアで用いられる操作装置に含まれる端末装置２０の構成例を示す図である。この図２に示した端末装置２０は、リモートコントローラー２０ａとして構成されており、３つのスイッチ２１〜２３を備えて構成されている。
【００３１】
スイッチ２１は、運転方向をＤＯＷＮ／ＵＰのいずれかに設定するためのキースイッチであり、三点中抜の構造として設けられている。また、スイッチ２２は、照明をＯＮ／ＯＦＦのいずれかに設定するためのキースイッチであり、三点中抜の構造として設けられている。さらに、スイッチ２３は、ダイヤル式の構成を有し、速度を多段階で設定できるようになっている。
【００３２】
このように、本実施の形態１における端末装置２０は、スペース上の制約がなく、また、リモートコントローラー２０ａとして操作できるため、ダイヤル式のスイッチ２３を採用することができる。この結果、操作性を改善できるとともに、操作機能の多機能化を実現することができる。
【００３３】
なお、本実施の形態１では、上述した構成２として、操作釦１１（１）、１１（２）が設けられている。図３は、本発明の実施の形態１における操作釦１１の設置場所を示した説明図である。操作釦１１は、乗客コンベアの少なくとも踏段２の全体が見渡せる位置に取り付けられる。
【００３４】
図１および図３に示した例では、先の図１１に示したような従来の操作装置１００（１）、１００（２）が取り付けられていた乗降部に、操作釦１１が設けられている。
【００３５】
そして、本実施の形態１では、乗客コンベアの運行を制御するコントローラーは、操作釦１１（１）または操作釦１１（２）の操作を受け付けない限り、端末装置２０からの操作信号を受け付けない構成となっている。なお、操作釦１１（１）、１１（２）の操作は、端末装置２０の操作と同時としてもよいし、もしくは、あらかじめ決められた時間範囲内で、端末装置２０の操作の直前、あるいは直後に操作してもよい。
【００３６】
いずれにせよ、コントローラーは、操作釦１１（１）、１１（２）の操作が伴わず、端末装置２０からの単独操作が行われた場合には、その操作信号を受け付けないことで、インターロック機能の強化を図ることができる。すなわち、操作者は、踏段２の全体を見渡して安全確認を行い、操作釦１１（１）または操作釦１１（２）の操作を行わない限り、端末装置２０からの操作をコントローラーに受け付けてもらうことができないこととなる。
【００３７】
なお、操作釦１１（１）または操作釦１１（２）による操作は、安全性に絡む操作に対するインターロック機能の強化が主目的である。従って、例えば、起動停止に関連するスイッチ２１の操作だけ、操作釦１１（１）または操作釦１１（２）の操作を伴うことを必須とする条件を加味することも可能である。
【００３８】
すなわち、インターロック機能を強化したい操作項目のみ、操作釦１１（１）または操作釦１１（２）による併用操作を必要とし、それ以外の操作項目は、端末装置２０からの単独操作を可能にすることが可能である。この結果、安全性を考慮した上で、利便性の向上を図ることができる。
【００３９】
また、本発明に係る乗客コンベアの操作装置は、図２に示したような、キースイッチを活用したリモートコントローラー２０ａの代わりに、画面操作に基づいて操作信号を生成するスマートフォン２０ｂを採用することも可能である。
【００４０】
図４は、本発明の実施の形態１に係る乗客コンベアで用いられる操作装置に含まれるスマートフォン２０ｂの画面構成例を示す図である。この図４に示した画面構成例では、３つのスイッチ２４〜２６が備えられている。いずれのスイッチ２４〜２６も、２箇所に示された斜線部分のいずれかの位置を画面上から押すことで、所望の操作を選択できる構成となっている。
【００４１】
スイッチ２４は、運転方向をＤＯＷＮ／ＵＰのいずれかに設定するための選択スイッチである。また、スイッチ２５は、照明をＯＮ／ＯＦＦのいずれかに設定するための選択スイッチである。さらに、スイッチ２６は、速度をＬ／Ｈのいずれかに設定するための選択スイッチである。なお、スイッチ２６としては、多段階設定を可能とするような構成を採用することも可能である。
【００４２】
図２に示したような専用のリモートコントローラー２０ａを用いる代わりに、汎用性の高いスマートフォン２０ｂによる画面操作を活用することで、利便性をさらに改善することができる。また、スマートフォン２０ｂを使用する場合にも、操作釦１１（１）または操作釦１１（２）による併用操作を考慮することで、インターロック機能を強化することができる。
【００４３】
図５は、本発明の実施の形態１に係る乗客コンベアにおいて、操作装置に関連する構成を示した図である。図５に示した構成図には、インターロック処理回路１０、端末装置２０、およびコントローラー３０が含まれている。
【００４４】
ここで、図５におけるインターロック処理回路１０は、本実施の形態１においては、操作釦１１に相当する。従って、インターロック処理回路１０は、操作者が操作釦１１を押下することで、操作信号が有効であることを意味する判定用信号Ｓ１を出力する。
【００４５】
図５における端末装置２０は、本実施の形態１においては、図２に示したリモートコントローラー２０ａあるいは図４に示したスマートフォン２０ｂに相当する。従って、端末装置２０は、操作者による操作入力に基づいて操作信号Ｓ２を生成し、コントローラー３０に対して出力する。
【００４６】
図５におけるコントローラー３０は、乗客コンベアの運転を統括制御している。そして、コントローラー３０は、判定用信号Ｓ１を受信することで、操作信号Ｓ２を有効と判断し、有効である操作信号Ｓ２に基づいて乗客コンベアの運転を統括制御する。このような構成を備えることで、操作性の改善とインターロック機能の強化を両立させることができる。
【００４７】
以上のように、実施の形態１によれば、リモートコントローラーあるいはスマートフォンといった端末装置を用いることで、操作性の改善を実現している。さらに、乗客コンベアの全体が見渡せる位置に設けられた操作釦の併用操作を採用することで、インターロック機能の強化を実現している。この結果、運行管理時、保守点検作業時の操作性の改善およびインターロック機能の強化を兼ね備えた乗客コンベアを得ることができる。
【００４８】
実施の形態２．
先の実施の形態１では、操作釦１１による併用操作を用いて、インターロック機能を強化する場合について説明した。これに対して、本実施の形態２では、操作釦１１を用いる代わりに、端末装置２０からの操作信号Ｓ２の受信強度を考慮することでインターロック機能の強化を図る場合について説明する。
【００４９】
図６は、本発明の実施の形態２におけるインターロック機能の強化方法を説明するための図である。本実施の形態２では、従来の操作装置１００が取り付けられていた乗降部に、端末装置２０からの操作信号Ｓ２を赤外線信号として受信するための受信部１２が設けられている。
【００５０】
端末装置２０からの赤外線信号の受信許可レベルを、受信部１２において適切に設定することで、乗客コンベアの少なくとも踏段全部が見渡せる位置のみで、端末装置２０からの操作信号Ｓ２を受信部１２で受け付けることができるように調整できる。図６において斜線で示した受信エリアＡが、乗客コンベアの少なくとも踏段全部が見渡せる位置として設定される領域に相当する。
【００５１】
なお、受信許可レベルの設定に当たっては、起動停止など、インターロック機能を強化したい操作と、それ以外の操作で、受信許可レベルを変えて、個別に設定することも可能である。すなわち、用途に応じて、インターロック機能を強化したい操作のみ受信エリアＡを絞ってもよいし、全ての操作について受信エリアＡを絞ってもよい。
【００５２】
図７は、本発明の実施の形態２に係る乗客コンベアにおいて、操作装置に関連する構成を示した図である。図７に示した構成図には、先の実施の形態１における図５の構成と同様に、インターロック処理回路１０、端末装置２０、およびコントローラー３０が含まれている。ただし、図７は、信号の流れが先の図５とは異なっており、以下に説明する。
【００５３】
図７における端末装置２０は、本実施の形態２においては、図２に示したリモートコントローラー２０ａあるいは図４に示したスマートフォン２０ｂに相当する。従って、端末装置２０は、操作者による操作入力に基づいて操作信号Ｓ２を生成し、操作信号Ｓ２に対応する赤外線信号Ｓ３として出力する。
【００５４】
図７におけるインターロック処理回路１０は、本実施の形態２においては、受信部１２に相当する。従って、インターロック処理回路１０は、端末装置２０から赤外線信号Ｓ３を受信する。
【００５５】
さらに、受信部１２は、受信した赤外線信号Ｓ３の強度が、あらかじめ設定された信号強度以上である場合には、赤外線信号Ｓ３に対応する操作信号Ｓ２が有効であると判断し、判定用信号Ｓ１を生成する。そして、受信部１２は、コントローラー３０に対して、赤外線信号Ｓ３に対応する操作信号Ｓ２を判定用信号Ｓ１とともに出力する。
【００５６】
一方、受信部１２は、受信した赤外線信号Ｓ３の強度が、あらかじめ設定された信号強度未満である場合には、赤外線信号Ｓ３に対応する操作信号Ｓ２が無効であると判断し、コントローラー３０に対する送信を行わない。
【００５７】
このような強度判定処理を有することで、受信部１２は、受信エリアＡから出力された赤外線信号Ｓ３に対応する操作信号Ｓ２のみを有効と判断することができる。
【００５８】
図７におけるコントローラー３０は、乗客コンベアの運転を統括制御している。そして、コントローラー３０は、判定用信号Ｓ１および操作信号Ｓ２を受信部１２から受信することで、操作信号Ｓ２が有効であると判断し、有効である操作信号Ｓ２に基づいて乗客コンベアの運転を統括制御する。このような構成を備えることで、操作性の改善とインターロック機能の強化を両立させることができる。
【００５９】
以上のように、実施の形態２によれば、操作釦を併用する代わりに、操作信号の信号強度を考慮して、遠隔操作が可能なエリアを限定することで、インターロック機能の強化を実現している。この結果、先の実施の形態１と同様に、運行管理時、保守点検作業時の操作性の改善およびインターロック機能の強化を兼ね備えた乗客コンベアを得ることができる。
【００６０】
実施の形態３．
先の実施の形態１では、操作釦１１による併用操作を用いて、インターロック機能を強化する場合について説明した。また、先の実施の形態２では、端末装置２０からの赤外線信号Ｓ３の受信強度を考慮することでインターロック機能を強化する場合について説明した。これに対して、本実施の形態３では、カメラにより撮像された画像を参照することで、インターロック機能を強化する場合について説明する。
【００６１】
図８は、本発明の実施の形態３に係る乗客コンベアで用いられる操作装置の設置場所を示す説明図である。図８において、トラス（主枠）１、踏段２、欄干装置３、移動手摺４は、先の図１１における説明と同一である。本実施の形態３に係る乗客コンベアで用いられる操作装置は、カメラ１３、および乗客コンベア本体とは別構成のスマートフォン２０ｂを備えて構成されている。
【００６２】
図９は、本発明の実施の形態３に係る乗客コンベアで用いられる操作装置に含まれるスマートフォン２０ｂの画面構成例を示す図である。この図９に示した画面構成例では、先の図４と同様に、３つのスイッチ２４〜２６が備えられているとともに、カメラ１３により撮像された画像を表示する画像表示器２７が備えられている。
【００６３】
すなわち、本実施の形態３で用いられるスマートフォン２０ｂは、乗客コンベアの少なくとも踏段全部が見渡せる位置に設置されたカメラ１３によって撮像された画像を受信し、表示画面である画像表示器２７に、受信した画像を表示させる機能を有している。このような構成を備えることで、操作者は、スマートフォン２０ｂにより操作信号Ｓ２を生成する際に、乗客コンベアの利用者の有無を、操作画面上に表示された画像により容易に確認することができる。
【００６４】
この結果、表示画像内の利用者の有無を考慮することで、インターロック機能を強化することができる。なお、利用者の有無を判断するに当たっては、オペレータによる目視判断以外に、画像内に含まれる利用者を自動抽出する画像処理機能をスマートフォン２０ｂに搭載することも考えられる。このような画像処理機能を搭載することで、オペレータによる誤判断を防止したインターロック機能の向上を実現することができる。
【００６５】
図１０は、本発明の実施の形態３に係る乗客コンベアにおいて、操作装置に関連する構成を示した図である。図１０に示した構成図には、先の実施の形態１における図５、および先の実施の形態２における図７の構成と同様に、インターロック処理回路１０、端末装置２０、およびコントローラー３０が含まれている。ただし、図１０は、信号の流れが先の図５、図７とは異なっており、以下に説明する。
【００６６】
図１０におけるインターロック処理回路１０は、本実施の形態３においては、カメラ１３に相当する。従って、インターロック処理回路１０は、踏段全体の撮像画像信号Ｓ４を、第１の判定用信号として端末装置２０に出力する。
【００６７】
図１０における端末装置２０は、本実施の形態３においては、図９に示したスマートフォン２０ｂに相当する。従って、端末装置２０は、カメラ１３から取得した撮像画像信号Ｓ４に基づく画像を、画像表示器２７に表示させる。これにより、操作者は、画像表示器２７に表示された画像から、乗客コンベアの利用者の有無を容易に確認することができる。
【００６８】
さらに、スマートフォン２０ｂは、表示画像に基づいて乗客コンベアの利用者が踏段上にいないことを確認した操作者による操作入力に基づいて、操作信号Ｓ２を生成するとともに、生成した操作信号Ｓ２が有効であることを示す判定用信号Ｓ１も生成する。そして、スマートフォン２０ｂは、操作信号Ｓ２を判定用信号Ｓ１とともに出力する。
【００６９】
図１０におけるコントローラー３０は、乗客コンベアの運転を統括制御している。そして、コントローラー３０は、判定用信号Ｓ１および操作信号Ｓ２を端末装置２０から受信することで、操作信号Ｓ２が有効であると判断し、有効である操作信号Ｓ２に基づいて乗客コンベアの運転を統括制御する。このような構成を備えることで、操作性の改善とインターロック機能の強化を両立させることができる。
【００７０】
以上のように、実施の形態３によれば、カメラによる撮像画像を利用することで、インターロック機能の強化を実現している。この結果、先の実施の形態１、２と同様に、点検作業時の操作性の改善およびインターロック機能の強化を兼ね備えた乗客コンベアを得ることができる。
【図１】
2018008107.tif 000003
【図２】
2018008107.tif 000004
【図３】
2018008107.tif 000005
【図４】
2018008107.tif 000006
【図５】
2018008107.tif 000007
【図６】
2018008107.tif 000008
【図７】
2018008107.tif 000009
【図８】
2018008107.tif 000010
【図９】
2018008107.tif 000011
【図１０】
2018008107.tif 000012
【図１１】
2018008107.tif 000013
【図１２】
2018008107.tif 000014
【図１３】
2018008107.tif 000015
【図１４】
2018008107.tif 000016
【手続補正書】
【提出日】平成29年10月5日(2017.10.5)
【手続補正１】
【補正対象書類名】明細書
【補正対象項目名】０００８
【補正方法】変更
【補正の内容】
【０００８】
本発明に係る乗客コンベアは、乗客コンベアの運転／停止を含む操作信号を出力する端末装置と、端末装置から出力された操作信号に基づいて、乗客コンベアの運転を統括制御するコントローラーとを備えた乗客コンベアであって、操作信号が有効であるか無効であるかをコントローラーが判定するための判定用信号を出力するインターロック処理回路をさらに備え、コントローラーは、インターロック処理回路から出力された判定用信号と端末装置から出力された操作信号とに基づいて、操作信号が有効であるか無効であるかを判定し、操作信号が有効であると判定した場合には、操作信号に基づいて乗客コンベアの運転を統括制御し、判定用信号を考慮することなしに単独操作が可能な１以上の操作信号を第１信号群としてあらかじめ規定しておき、受信した操作信号のうち、第１信号群に属する操作信号に関しては、インターロック処理回路から判定用信号が出力されたか否かにかかわらず乗客コンベアの運転を統括制御するための信号として採用するものである。
【手続補正２】
【補正対象書類名】特許請求の範囲
【補正対象項目名】全文
【補正方法】変更
【補正の内容】
【特許請求の範囲】
【請求項１】
乗客コンベアの運転／停止を含む操作信号を出力する端末装置と、
前記端末装置から出力された前記操作信号に基づいて、前記乗客コンベアの運転を統括制御するコントローラーと
を備えた乗客コンベアであって、
前記操作信号が有効であるか無効であるかを前記コントローラーが判定するための判定用信号を出力するインターロック処理回路をさらに備え、
前記コントローラーは、
前記インターロック処理回路から出力された前記判定用信号と前記端末装置から出力された前記操作信号とに基づいて、前記操作信号が有効であるか無効であるかを判定し、有効であると判定した前記操作信号に基づいて前記乗客コンベアの運転を統括制御し、
前記判定用信号を考慮することなしに単独操作が可能な１以上の操作信号を第１信号群としてあらかじめ規定しておき、受信した操作信号のうち、前記第１信号群に属する操作信号に関しては、前記インターロック処理回路から前記判定用信号が出力されたか否かにかかわらず前記乗客コンベアの運転を統括制御するための信号として採用する
記載の乗客コンベア。
【請求項２】
前記インターロック処理回路は、乗客コンベア本体に設けられた操作釦で構成され、前記操作釦が押下されることで、前記コントローラーに対して前記判定用信号を出力し、
前記コントローラーは、前記判定用信号を受信した場合には、あらかじめ決められた期間内に前記端末装置から受信する前記操作信号を有効であると判定し、有効であると判断した前記操作信号に基づいて前記乗客コンベアの運転を統括制御する
請求項１に記載の乗客コンベア。
【請求項３】
前記インターロック処理回路は、乗客コンベア本体に設けられ、前記端末装置から出力される前記操作信号を赤外線信号として受信し、あらかじめ設定された信号強度以上の信号として前記赤外線信号を受信することで前記操作信号が有効であることを示す判定用信号を生成し、前記コントローラーに対して前記赤外線信号に対応する操作信号を前記判定用信号とともに出力する受信部で構成され、
前記コントローラーは、前記受信部を介して前記判定用信号および前記操作信号を受信した場合には、前記操作信号が有効であると判定し、有効であると判断した前記操作信号に基づいて前記乗客コンベアの運転を統括制御する
請求項１に記載の乗客コンベア。
【請求項４】
前記インターロック処理回路は、乗客コンベアの踏段全体が見渡せる位置に設置され、前記端末装置に対して前記踏段全体の撮像画像信号を第１の判定用信号として出力するカメラで構成され、
前記端末装置は、表示器を有するスマートフォンとして構成され、前記インターロック処理回路から前記第１の判定用信号として受信した前記撮像画像信号を前記表示器に画像表示し、画像表示内容を確認した操作者の操作入力に基づいて前記操作信号を生成するとともに、前記操作信号が有効であることを示す第２の判定用信号を生成し、生成した前記操作信号を前記第２の判定用信号とともに前記コントローラーに対して出力し、
前記コントローラーは、前記端末装置を介して前記第２の判定用信号および前記操作信号を受信した場合には、前記操作信号が有効であると判定し、有効であると判断した前記操作信号に基づいて前記乗客コンベアの運転を統括制御する
請求項１に記載の乗客コンベア。
【国際調査報告】
2018008107.tif 000017
2018008107.tif 000018
2018008107.tif 000019
2018008107.tif 000020